(57)【要約】【課題】本発明は型枠における縦バタ材の落下防止構造に関し、型枠パネルに仮止め中の縦バタ材が直下に落下しないように、簡易な手段で保持できるようにすることが課題である。【解決手段】型枠パネルと、該型枠パネル間の間隔を規制するセパレータと、該セパレータの両端部に設けられ前記型枠パネルを締め付けるフォームタイと、該フォームタイによって締め付けられて前記型枠パネルを締め付ける縦バタ材と横バタ材とからなるコンクリート用型枠であって、前記フォームタイのネジ部に設けられ引掛部を有した引掛ナット１と、該引掛ナット１間に横方向に繋着され弾性を有する紐部材２とで前記縦バタ材１８の組立時・解体時における落下を防止することである。【選択図】図１
2005120588.tif 000002
【特許請求の範囲】
【請求項１】
型枠パネルと、該型枠パネル間の間隔を規制するセパレータと、該セパレータの両端部に設けられ前記型枠パネルを締め付けるフォームタイと、該フォームタイによって締め付けられて前記型枠パネルを締め付ける縦バタ材と横バタ材とからなるコンクリート用型枠であって、
前記フォームタイのネジ部に設けられ引掛部を有した引掛ナットと、該引掛ナット間に横方向に繋着され弾性を有する紐部材とで前記縦バタ材の組立時・解体時における落下を防止すること、
を特徴とする型枠における縦バタ材の落下防止構造。
【請求項２】
紐部材が、一つの縦バタ材の上下方向において、２カ所で横方向に配設されていること、
を特徴とする請求項１に記載の型枠における縦バタ材の落下防止構造。
【請求項３】
紐部材は、縦バタ材の外形形状の一部に嵌合する形状の凹部が設けられていること、
を特徴とする請求項１または請求項２に記載の型枠における縦バタ材の落下防止構造。
【請求項４】
型枠パネルと、該型枠パネル間の間隔を規制するセパレータと、該セパレータの両端部に設けられ前記型枠パネルを締め付けるフォームタイと、該フォームタイによって締め付けられて前記型枠パネルを締め付ける縦バタ材と横バタ材とからなるコンクリート用型枠に、フォームタイ間に引掛けナットを介して弾性紐部材を横方向に架設し、前記紐部材と型枠パネルとの間に縦バタ材を差し込んで、当該縦バタ材の落下を防止すること、
を特徴とする型枠における縦バタ材の落下防止方法。
【発明の詳細な説明】
【技術分野】
【０００１】
本発明は、コンクリート用型枠を組み立てる際の、仮止めする縦バタ材の落下防止構造とその方法に関するものである。
【背景技術】
【０００２】
図６に示すように、コンクリート構造物２４を構築するための型枠をセットするには、端太角２１の上の桟木２０に沿って型枠パネル１５を配設し、該型枠パネル１５間の間隔を規制するセパレータ１６と、該セパレータ１６の両端部に設けられ前記型枠パネル１５を締め付けるフォームタイ１７とを建て込み、縦バタ材１８と横バタ材１９とを前記型枠パネル１５に仮止めし、前記フォームタイ１７のナット１７ａを締結して、前記型枠パネル１５を締め付ける。
【０００３】
前記バタ材１８，１９は、前記フォームタイ１７で締め付けるまで、型枠パネル１５に対して仮止めして置かなければならない。そこで、縦バタ材１８を、型枠パネル１５若しくは桟木２０に打ち付けた釘２２に番線２３を取付けて仮止めしたり固定したりしている。また、横バタ材１９は、作業者が固定するまでの間、手で保持しているのが、危険でもあり、更に、手間が掛かるので、仮止めの治具が提案されている。
【特許文献１】特開２０００−４５５１９号公報
【０００４】
しかし、前記縦バタ材１８については、適当な仮止め用の治具等が無く、前記釘２２や番線２３などで、一本づつ仮止めしていて、非常に手間の掛かるものである。また、解体時には、前記番線２３が切断されていることもあり、外壁が在来工法であると、縦バタ材１８が直下に落下するおそれがある。
【発明の開示】
【発明が解決しようとする課題】
【０００５】
解決しようとする問題点は、縦バタ材の仮止めに手間が掛かり、解体時において縦バタ材が落下するおそれがある点である。
【課題を解決するための手段】
【０００６】
本発明に係る型枠における縦バタ材の落下防止構造は、型枠パネルと、該型枠パネル間の間隔を規制するセパレータと、該セパレータの両端部に設けられ前記型枠パネルを締め付けるフォームタイと、該フォームタイによって締め付けられて前記型枠パネルを締め付ける縦バタ材と横バタ材とからなるコンクリート用型枠であって、前記フォームタイのネジ部に設けられ引掛部を有した引掛ナットと、該引掛ナット間に横方向に繋着され弾性を有する紐部材とで前記縦バタ材の組立時・解体時における落下を防止するである。
【０００７】
前記紐部材が、一つの縦バタ材の上下方向において、２カ所で横方向に配設されていること、；
更に、前記紐部材は、縦バタ材の外形形状の一部に嵌合する形状の凹部が設けられていることを含むものである。
【０００８】
本発明に係る型枠における縦バタ材の落下防止方法は、型枠パネルと、該型枠パネル間の間隔を規制するセパレータと、該セパレータの両端部に設けられ前記型枠パネルを締め付けるフォームタイと、該フォームタイによって締め付けられて前記型枠パネルを締め付ける縦バタ材と横バタ材とからなるコンクリート用型枠に、フォームタイ間に引掛けナットを介して弾性紐部材を横方向に架設し、前記紐部材と型枠パネルとの間に縦バタ材を差し込んで、当該縦バタ材の落下を防止することである。
【０００９】
本発明に係る型枠における縦バタ材の落下防止構造とその方法によれば、弾性を有する紐部材によって、縦バタ材が型枠パネルに押しつけられて、この型枠パネルと紐部材との当接による摩擦抵抗力で、当該縦バタ材の落下が防止される。
【発明の効果】
【００１０】
本発明の型枠における縦バタ材の落下防止構造と方法とにより、型枠パネルと横方向に張設した紐部材との間に、縦バタ材を差し込めば良く、仮止め作業が容易となる。しかも、縦バタ材を一本毎に仮止め作業をするのではなく、一ブロック単位毎に纏めて、仮止めできるので、作業効率が良く、工期の短縮となる。解体時においても、縦バタ材を取り外しやすい。
前記紐部材が、一つの縦バタ材の上下方向において、２カ所で横方向に配設されていることにより、縦バタ材が安定して仮止め支持される。
更に、前記紐部材は、縦バタ材の外形形状の一部に嵌合する形状の凹部が設けられているので、縦バタ材の横ずれ等が防止されて、精度良く縦バタ材を仮止め支持する。
【発明を実施するための最良の形態】
【００１１】
本発明に係る型枠における縦バタ材の落下防止構造を、図１乃至図５を参照して説明する。なお、従来例に対応する部分には従来例と同一の符号を伏して説明する。
【００１２】
図１乃至図２に示すように、合成材等の型枠パネル１５と、該型枠パネル１５間の間隔を規制するセパレータ１６と、該セパレータ１６の両端部に設けられ前記型枠パネル１５を締め付けるフォームタイ１７と、該フォームタイ１７によって締め付けられて前記型枠パネル１５を締め付ける縦バタ材１８と横バタ材１９とからなるコンクリート用型枠である。
【００１３】
そして、前記フォームタイ１７のネジ部１７ｂに設けられ引掛部１ａを有した引掛ナット１と、該引掛ナット１，１間に横方向に繋着されて架設されるもので、弾性を有する紐部材２とが設けられる。
【００１４】
前記引掛ナット１は、図３（Ａ）に示すように、前記フォームタイ１７のネジ棒１７ｂに螺合するナットに、繋着用孔１ｂを有するフランジが溶接等で固着されて、引掛部１ａが形成されている。
【００１５】
また、前記紐部材２は、図３（Ｂ）に示すように、例えば、その本体部２ａが、帯状若しくは断面丸形のゴム製のバンドであり、該本体部２ａの両端部に繋着用の金属製フック２ｂが一体に設けられている。
【００１６】
前記引掛ナット１は、図４に示すように、フォームタイ１７のネジ棒１７ｂに、縦バタ材１８を型枠パネル１５に取り付ける前に、予め螺合される。その取付位置ａは、前記縦バタ材１８の直径、若しくは、厚さである寸法ｔ（図２参照）よりも、小さい寸法位置にする。
【００１７】
また、前記紐部材２は、図５に示すように、前記縦バタ材１８の外形形状の一部に嵌合する形状の凹部２ｄが本体部２ｃに設けられて形成することができる。このような凹部２ｄがあれば、所要ピッチにして複数個あるので、縦バタ材１８を差し込む位置の目安になり、当該縦バタ材１８が仮置き時において、横にズレたりするのが防止される。
【００１８】
このような縦バタ材の落下防止構造によると、コンクリート用型枠を組み立てる際に、セパレータ１６を介在させて、型枠パネル１５を建て、前記セパレータ１６にフォームタイ１７のネジ棒１７ｂを螺着する。
【００１９】
前記ネジ棒１７ｂに、引掛ナット１を螺合させる。そして、前記引掛ナット１の繋着用孔１ｂに、紐部材２のフック２ｂを繋着させることで、フォームタイ１７，１７間に引掛けナット１を介して弾性紐部材２を横方向に架設する。なお、引掛ナット１はネジ棒１７ｂに対して回転するので、フック２ｂを繋着させやすくなっている。
【００２０】
前記紐部材２は、図１に示すように、一つの縦バタ材１８の上下方向において、２カ所若しくはそれ以上の箇所で横方向に配設される。
【００２１】
前記上下２本の紐部材２に対して、縦バタ材１８を、差し込む。こうして、ある箇所のフォームタイ１７，１７間の縦バタ材１８、１８、…が、一つのブロックとして、纏めて紐部材２で仮止めにて保持される。
【００２２】
こうして、前記紐部材２と型枠パネル１５との間に縦バタ材１８を差し込んで、当該縦バタ材１８の落下が防止される。前記紐部材２が、前記凹部２ｄが設けられたものであれば、縦バタ材１８が、整列されて仮置きされるようになり、また、横ズレも防止される。
【００２３】
この後に、横バタ材１９が取り付けられ、押圧部材１７ｃがあてがわれて、ナット１７ａをネジ棒１７ｂに締め込むことで、前記縦バタ材１８と横バタ材１９とが保持される。この後、型枠解体時まで、紐部材２を横架させたままの状態にしても良いし、外しても良い。型枠解体時には、紐部材２を横架させた状態にして、縦バタ材１８の落下を防止させるものである。この引掛ナット１及び紐部材２は、他の型枠に転用されるものである。
【産業上の利用可能性】
【００２４】
以上のような、紐部材による縦バタ材の落下防止構造及び方法は、部材を仮に縦置きする場合に、前記ネジ棒などが近傍に有れば、そのような部材に容易に適用することができるものである。
【図面の簡単な説明】
【００２５】
【図１】本発明に係る型枠における縦バタ材の落下防止構造を示す説明図である。
【図２】同本発明に係る型枠における縦バタ材の落下防止構造の横断面図である。
【図３】同本発明に係る型枠における縦バタ材の落下防止構造における、引掛ナット１の斜視図（Ａ）と、紐部材２の斜視図（Ｂ）である。
【図４】同、引掛ナット１の取付手順を説明する説明図である。
【図５】同、紐部材２の他の例を示す斜視図である。
【図６】従来例に係る縦バタ材の落下防止構造を示す横断面図である。
【符号の説明】
【００２６】
１    引掛ナット、        １ａ  引掛部、                １ｂ  繋着用孔、
２    紐部材、            ２ａ  本体部、                ２ｂ  フック、
２ｃ  本体部、            ２ｄ  凹部、
１５  型枠パネル、
１６  セパレータ、
１７  フォームタイ、     １７ａ  ナット、              １７ｂ  ネジ部、
１８  縦バタ材、
１９  横バタ材、
２０  桟木、
２１  端太角、
２２  釘、
２３  番線。
【図１】
2005120588.tif 000003
【図２】
2005120588.tif 000004
【図３】
2005120588.tif 000005
【図４】
2005120588.tif 000006
【図５】
2005120588.tif 000007
【図６】
2005120588.tif 000008